(57)【特許請求の範囲】
【請求項１】
複数組の２重化入力伝送路および複数組の２重化出力伝送路を収容する光クロスコネクト装置であって、
第１の主スイッチと、
第２の主スイッチと、
各２重化入力伝送路に対して設けられる複数の入力回路と、
各２重化出力伝送路に対して設けられる複数の出力回路、を備え、
各入力回路が、
対応する２重化入力伝送路を構成する第１の入力伝送路を介して受信したＷＤＭ光を波長ごとに分波する第１の分波器と、
対応する２重化入力伝送路を構成する第２の入力伝送路を介して受信したＷＤＭ光を波長ごとに分波する第２の分波器と、
入力波長ごとに設けられ、それぞれ、上記第１の分波器から出力される光信号または上記第２の分波器から出力される光信号の一方を選択する複数の第１の選択手段と、
それぞれ、対応する第１の選択手段により選択された光信号を分岐して上記第１および第２の主スイッチに導く複数の第１の光分岐器、を有し、
上記出力回路が、
それぞれ、第１の主スイッチから出力される光信号または第２の主スイッチから出力される光信号の一方を選択する複数の第２の選択手段と、
それぞれ、対応する第２の選択手段により選択された光信号から所定の出力波長を持った光信号を生成する複数の生成手段と、
複数の光信号を合波して上記２重化出力伝送路を構成する第１の出力伝送路へ導く第１の合波器と、
複数の光信号を合波して上記２重化出力伝送路を構成する第２の出力伝送路へ導く第２の合波器と、
それぞれ、対応する生成手段により生成された光信号を分岐して上記第１および第２の合波器に導く複数の第２の光分岐器、を有する
ことを特徴とする光クロスコネクト装置。
【請求項２】
複数組の２重化入力伝送路および複数組の２重化出力伝送路を収容する光クロスコネクト装置であって、
第１の主スイッチと、
第２の主スイッチと、
各２重化入力伝送路に対して設けられる複数の入力回路と、
各２重化出力伝送路に対して設けられる複数の出力回路、を備え、
各入力回路が、
対応する２重化入力伝送路を構成する第１の入力伝送路を介して受信したＷＤＭ光を波長ごとに分波する第１の分波器と、
対応する２重化入力伝送路を構成する第２の入力伝送路を介して受信したＷＤＭ光を波長ごとに分波する第２の分波器と、
入力波長ごとに設けられ、それぞれ、上記第１の分波器から出力される光信号および上記第２の分波器から出力される光信号の一方を上記第１の主スイッチへ導き、他方を上記第２の主スイッチへ導く複数の第１の切替手段、を有し、
上記出力回路が、
複数の光信号を合波して上記２重化出力伝送路を構成する第１の出力伝送路へ導く第１の合波器と、
複数の光信号を合波して上記２重化出力伝送路を構成する第２の出力伝送路へ導く第２の合波器と、
それぞれ、第１の主スイッチから出力される光信号および第２の主スイッチから出力される光信号の一方を上記第１の合波器に導き、他方を上記第２の合波器に導く複数の第２の切替手段、を有する
ことを特徴とする光クロスコネクト装置。
【請求項３】
複数組の２重化入力伝送路および複数組の２重化出力伝送路を収容する光クロスコネクト装置であって、
第１の主スイッチと、
第２の主スイッチと、
各２重化入力伝送路に対して設けられる複数の入力回路と、
各２重化出力伝送路に対して設けられる複数の出力回路、を備え、
各入力回路が、
ＷＤＭ光を波長ごとに分波する第１の分波器と、
ＷＤＭ光を波長ごとに分波する第２の分波器と、
対応する２重化入力伝送路を介して受信した１組のＷＤＭ光の一方を上記第１の分波器に導き、他方を上記第２の合波器に導く第１の伝送路切替手段と、
入力波長ごとに設けられ、それぞれ、上記第１の分波器から出力される光信号および上記第２の分波器から出力される光信号の一方を上記第１の主スイッチへ導き、他方を上記第２の主スイッチへ導く複数の第１のルート切替手段、を有し、
上記出力回路が、
複数の光信号を合波してＷＤＭ光を生成する第１の合波器と、
複数の光信号を合波してＷＤＭ光を生成する第２の合波器と、
それぞれ、第１の主スイッチから出力される光信号および第２の主スイッチから出力される光信号の一方を上記第１の合波器に導き、他方を上記第２の合波器に導く複数の第２のルート切替手段と、
上記第１の合波器から出力されるＷＤＭ光および上記第２の合波器から出力されるＷＤＭ光の一方を上記２重化出力伝送路を構成する第１の出力伝送路へ導き、他方を第２の出力伝送路へ導く第２の伝送路切替手段、を有する
ことを特徴とする光クロスコネクト装置。
【請求項４】
請求項記１に記載の光クロスコネクト装置であって、
上記入力回路が、
上記第１または第２の入力伝送路を介して受信したＷＤＭ光から指定された波長の光信号を選択する第１の手段と、
上記第１の手段により選択された光信号を分岐して上記第１および第２の主スイッチに導く第２の手段、をさらに有し、
上記出力回路が、
上記第１または第２の主スイッチから出力された光信号の波長を指定された波長に変換する第３の手段と、
上記第３の手段から出力される光信号をそれぞれ上記第１および第２の合波器の出力に合流させる第４の手段、を有する
ことを特徴とする光クロスコネクト装置。
【発明の詳細な説明】
【０００１】
【発明の属する技術分野】
本発明は、冗長構成を有する光クロスコネクト装置に係わり、特に、波長多重光通信システムにおいて使用される冗長構成を有する光クロスコネクト装置に係わる。
【０００２】
【従来の技術】
データ伝送の高速化／大容量化に伴い、ネットワーク並びに通信装置の広帯域化／大容量化が要求されている。ここで、広帯域化／大容量化を実現するための方法の１つとして、ＷＤＭ（Wavelength Division Multiplexing）技術をベースにした光ネットワークの構築が望まれている。そして、このような光ネットワークを構築する上で核となる装置が、光クロスコネクト装置である。なお、以下では、光クロスコネクト装置のことを、「光ＸＣ」と記載することがある。
【０００３】
図３０は、光クロスコネクト装置が使用されるネットワーク環境を示す図である。ここで、光ネットワークは、光伝送路により互いに接続された複数の光クロスコネクト装置を備えている。また、光クロスコネクト装置間を接続する光伝送路を介してＷＤＭ光が伝送される。なお、ＷＤＭ光は、複数の波長λ１〜λｎを含んでいる。
【０００４】
光クロスコネクト装置５００は、複数の入力側局間光伝送路および複数の出力側局間光伝送路を収容している。ここで、各局間光伝送路を介してＷＤＭ信号光が伝送される。そして、光クロスコネクト装置５００は、入力側局間光伝送路を介して受信したＷＤＭ信号光を、送信先ごとに或いは波長ごとに、指定された出力側局間光伝送路にルーティングする。なお、光クロスコネクト装置間の距離が長い場合には、局間光伝送路上に光アンプが設けられる。また、光クロスコネクト装置５００は、しばしば、加入者線を収容するスイッチ（例えば、電気クロスコネクト装置等）に接続される。そして、各光クロスコネクト装置５００は、ネットワーク全体を管理しているオペレーティングシステムにより制御される。
【０００５】
上記光ネットワークにおいて、光クロスコネクト装置間で伝送されるＷＤＭ信号光の波長数は、年々増加してきている。このため、光クロスコネクト装置が故障すると、通信サービスに与える影響は非常に大きなものになる。したがって、光クロスコネクト装置は、通常、装置内で発生した障害からの復旧を図るために冗長的に構成されている。
【０００６】
図３１は、既存の光クロスコネクト装置の構成図である。ここで、この光クロスコネクト装置は、冗長的に構成された１組のスイッチ（スイッチ部５０１−Ｗ（０）、スイッチ部５０１−Ｐ（１））を備えている。また、この光クロスコネクト装置が使用される光ネットワークは、局間光伝送路が２重化されている。すなわち、各光クロスコネクト装置間は、それぞれ、一方の光クロスコネクト装置から他方の光クロスコネクト装置へ信号を伝送するための１組の局間光伝送路（０系、１系）、及びその逆方向に信号を伝送するための１組の局間光伝送路（０系、１系）が設けられている。そして、この例では、１組の局間光伝送路（０系、１系）を介して互いに同じ信号が伝送されるものとする。
【０００７】
局間光伝送路を介して受信したＷＤＭ信号光（λ１〜λｎ）は、光アンプ５０２により増幅された後、分波器５０３により波長ごとに分波される。波長ごとに分波された信号光は、それぞれ、光分岐器として使用される光カプラ５０４により、互いに同じ１組の信号光に分岐される。光カプラ５０４により分岐された一方の信号光は、スイッチ部５０１−Ｗ（０）の入力側に設けられている２×１スイッチ５０５へ送られ、他方の信号光は、スイッチ部５０１−Ｐ（１）の入力側に設けられている２×１スイッチ５０５へ送られる。これにより、各２×１スイッチ５０５には、それぞれ、０系の局間光伝送路を介して受信した信号光および１系の局間光伝送路を介して受信した信号光が入力されることになる。
【０００８】
２×１スイッチ５０５は、一方の信号光を選択して対応するスイッチ部（５０１−Ｗ（０）、５０１−Ｐ（１））へ出力する。そして、スイッチ部５０１−Ｗ（０）、５０１−Ｐ（１）は、それぞれ、オペレーティングシステムの指示に従って受信した信号光のルーティングを行う。
【０００９】
スイッチ部５０１−Ｗ（０）、５０１−Ｐ（１）から出力される信号光は、光分岐器として使用される光カプラ５０６により、互いに同じ１組の信号光に分岐される。光カプラ５０６により分岐された一方の信号光は、０系局間光伝送路に対応する２×１スイッチ５０７へ送られ、他方の信号光は、１系局間光伝送路に対応する２×１スイッチ５０７へ送られる。これにより、各２×１スイッチ５０７には、それぞれ、スイッチ部５０１−Ｗ（０）によりルーティングされた信号光およびスイッチ部５０１−Ｐ（１）によりルーティングされた信号光が入力されることになる。
【００１０】
２×１スイッチ５０７は、一方の信号光を選択して出力する。２×１スイッチ５０７から出力された信号光は、光再生器５０８により再生される。そして、波長ごとに再生された信号光は、合波器５０９により合波されてＷＤＭ信号光として局間光伝送路に出力される。このとき、ＷＤＭ信号光は、光アンプ５１０により増幅される。
【００１１】
このように、既存の光クロスコネクト装置においては、局間光伝送路を介して受信した信号光は、スイッチ部５０１−Ｗ（０）および５０１−Ｐ（１）へ導かれる。そして、スイッチ部５０１−Ｗ（０）および５０１−Ｐ（１）により個別にルーティングされた信号光の一方が選択されて局間光伝送路へ導かれる。すなわち、光クロスコネクト装置内のパスが２重化されている。したがって、光クロスコネクト装置内の光部品等の故障により一方のパスが使用できない状態になっても、他方のパスを利用することにより障害の復旧が図れる。
【００１２】
【発明が解決しようとする課題】
ところが、図３１に示す既存の光クロスコネクト装置においては、１組の出力側局間光伝送路のそれぞれに対して光再生器５０８が設けられている。ここで、光再生器５０８は、図３１に示すように、波長ごとに設けられる。そして、近年のＷＤＭ光伝送システムでは波長多重数が増加してきているので、局間光伝送路ごとに必要な光再生器５０８の数もそれに伴って増加する。さらに、光再生器５０８は、一般に、比較的高価である。このため、光クロスコネクト装置のサイズが大きくなり、また、低コスト化が困難になる。
【００１３】
また、図３１に示す既存の光クロスコネクト装置においては、入力ポートから出力ポートへ至るパス上に、光カプラおよび光セレクタ（２×１スイッチ）が２個ずつ設けられている。このため、光クロスコネクト装置における光損失が大きくなるので、光アンプに対する要求（利得など）が厳しくなる。
【００１４】
本発明の目的は、冗長構成を有する光クロスコネクト装置の小型化を図ることである。また、本発明の他の目的は、光クロスコネクト装置における光損失の低減を図ることである。
【００１５】
【課題を解決するための手段】
本発明の光クロスコネクト装置は、複数組の２重化入力伝送路および複数組の２重化出力伝送路を収容し、第１の主スイッチ、第２の主スイッチ、各２重化入力伝送路に対して設けられる複数の入力回路、および各２重化出力伝送路に対して設けられる複数の出力回路を備える。各入力回路は、対応する２重化入力伝送路を構成する第１の入力伝送路を介して受信したＷＤＭ光を波長ごとに分波する第１の分波器、対応する２重化入力伝送路を構成する第２の入力伝送路を介して受信したＷＤＭ光を波長ごとに分波する第２の分波器、入力波長ごとに設けられそれぞれ上記第１の分波器から出力される光信号または上記第２の分波器から出力される光信号の一方を選択する複数の第１の選択手段、およびそれぞれ対応する第１の選択手段により選択された光信号を分岐して上記第１および第２の主スイッチに導く複数の第１の光分岐器を有する。また、上記出力回路は、それぞれ第１の主スイッチから出力される光信号または第２の主スイッチから出力される光信号の一方を選択する複数の第２の選択手段、それぞれ対応する第２の選択手段により選択された光信号から所定の出力波長を持った光信号を生成する複数の生成手段、複数の光信号を合波して上記２重化出力伝送路を構成する第１の出力伝送路へ導く第１の合波器、複数の光信号を合波して上記２重化出力伝送路を構成する第２の出力伝送路へ導く第２の合波器、およびそれぞれ対応する生成手段により生成された光信号を分岐して上記第１および第２の合波器に導く複数の第２の光分岐器を有する。
【００１６】
上記構成によれば、各光信号は、再生手段により再生された後で２重化出力伝送路を構成する各回線に導かれるように光分岐器により分岐される。再生手段が２重化されていなくても、主スイッチの障害に対する復旧が可能になる。
【００１７】
本発明の他の態様の光クロスコネクト装置は、上述の光クロスコネクト装置と同様に、第１の主スイッチ、第２の主スイッチ、複数の入力回路、および複数の出力回路を備える。そして、各入力回路は、対応する２重化入力伝送路を構成する第１の入力伝送路を介して受信したＷＤＭ光を波長ごとに分波する第１の分波器、対応する２重化入力伝送路を構成する第２の入力伝送路を介して受信したＷＤＭ光を波長ごとに分波する第２の分波器、入力波長ごとに設けられそれぞれ上記第１の分波器から出力される光信号および上記第２の分波器から出力される光信号の一方を上記第１の主スイッチへ導き他方を上記第２の主スイッチへ導く複数の第１の切替手段を有する。また、上記出力回路は、複数の光信号を合波して上記２重化出力伝送路を構成する第１の出力伝送路へ導く第１の合波器、複数の光信号を合波して上記２重化出力伝送路を構成する第２の出力伝送路へ導く第２の合波器、それぞれ第１の主スイッチから出力される光信号および第２の主スイッチから出力される光信号の一方を上記第１の合波器に導き他方を上記第２の合波器に導く複数の第２の切替手段を有する。
【００１８】
上記構成によれば、光クロスコネクト装置内でＷＤＭ光または光信号が分岐されることはないので、その損失が抑えられる。
本発明のさらに他の態様の光クロスコネクト装置は、複数の入力伝送路および複数の出力伝送路を収容し、主スイッチ、各入力伝送路に対して設けられる複数の入力回路、および各出力伝送路に対して設けられる複数の出力回路を備える。そして、各入力回路は、対応する入力伝送路を介して受信したＷＤＭ光を分岐して第１のＷＤＭ光および第２のＷＤＭ光を生成する分岐手段、上記第１のＷＤＭ光を波長ごとに分波して上記主スイッチに入力する分波器、および上記第２のＷＤＭ光から指定された波長の光信号を選択して上記主スイッチに入力する選択手段を有する。また、上記出力回路は、それぞれ上記主スイッチから出力される光信号の波長を予め決められた所定の波長に変換する複数の固定波長変換器、上記複数の固定波長変換器から出力される光信号を合波してＷＤＭ光を出力する合波器、上記主スイッチから出力される光信号の波長を指定された波長に変換する可変波長変換器、および上記合波器から出力されるＷＤＭ光と上記可変波長変換器から出力される光信号とを合流させて上記出力伝送路に導く合流器を有する。
【００１９】
上記構成によれば、入力回路において、ＷＤＭ光に含まれている任意の波長に対応する光デバイスが故障したときは、上記選択手段がそのＷＤＭ光から上記波長の光信号を選択して上記主スイッチに入力する。一方、出力回路において、ＷＤＭ光に含まれている任意の波長に対応する光デバイスが故障したときは、上記可変波長変換器が上記波長の光信号を再生する。したがって、必要最小限の構成で回線インタフェース部の冗長化が図れる。
【００２０】
【発明の実施の形態】
以下、本発明の実施形態について図面を参照しながら説明する。
図１は、実施形態の光クロスコネクト装置が使用されるネットワークを模式的に示す図である。ここでは、このネットワークには、ｋ＋１個の光クロスコネクト装置（＃０〜＃ｋ）が設けられている。なお、図１では、図面を見やすくするために省略しているが、光クロスコネクト装置（＃０〜＃ｋ）は、基本的には、メッシュ状に接続される。あるいは、各光クロスコネクト装置は、リング状に接続されてもよい。
【００２１】
各光クロスコネクト装置間には、それぞれ４本の光伝送路が設けられている。具体的には、各光クロスコネクト装置間には、一方の光クロスコネクト装置から他方の光クロスコネクト装置へ光信号を伝送する２重化光伝送路、およびその逆方向に光信号を伝送する２重化光伝送路が設けられている。すなわち、例えば、光クロスコネクト装置（＃０）には、各光クロスコネクト装置（＃１、＃２、＃３、…、＃ｋ）から光クロスコネクト装置（＃０）へそれぞれ光信号を伝送するためのｋ組の２重化光伝送路、および光クロスコネクト装置（＃０）から各光クロスコネクト装置（＃１、＃２、＃３、…、＃ｋ）へそれぞれ光信号を伝送するためのｋ組の２重化光伝送路が接続されている。換言すれば、各光クロスコネクト装置は、それぞれ、ｋ組の２重化入力光伝送路、およびｋ組の２重化出力光伝送路を収容している。
【００２２】
各２重化光伝送路は、それぞれ互いに同じ１組の光信号を伝送してもよいし、互いに異なる１組の光信号を伝送してもよい。なお、以下では、２重化光伝送路を構成する１組の伝送路のことを、０系回線／１系回線、或いは、現用系回線／予備系回線と呼ぶことにする。また、各光クロスコネクト装置は、図１には示していないが、それぞれ加入者線を収容することができる。
【００２３】
図２は、各光クロスコネクト装置の動作を制御するオペレーティングシステムの実現方法を示す図である。ここで、オペレーティングシステムは、各光クロスコネクト装置の動作（ルーティング処理、障害時の復旧動作など）を制御する。そして、オペレーティングシステムは、図２（ａ）に示すように、複数のあるいは全ての光クロスコネクト装置を一括して制御する構成であってもよいし、図２（ｂ）に示すように、各光クロスコネクト装置に対して個別に設けられる構成であってもよい。
【００２４】
次に、光クロスコネクト装置の構成および動作について説明する。なお、以下では、光クロスコネクト装置は、複数組の２重化入力光伝送路、および複数組の２重化出力光伝送路を収容しているものとする。そして、各光伝送路を介して、それぞれＷＤＭ光が伝送されるものとする。ここで、このＷＤＭ光は、互いに異なる波長λ１〜λｎを持った複数の光信号を含んでいる。ただし、すべての波長λ１〜λｎが同時に使用される必要はない。
第１の実施例
図３は、第１の実施例の光クロスコネクト装置の構成図である。この光クロスコネクト装置は、主スイッチ部１０、複数の入力回路２０−１〜２０−ｋ、および複数の出力回路３０−１〜３０−ｋを備えている。なお、各入力回路２０−１〜２０−ｋは、それぞれ、２重化入力光伝送路を収容している。ここで、この２重化入力光伝送路は、互いに同じＷＤＭ光を伝送する１組の「０系回線」および「１系回線」から構成されている。一方、各出力回路３０−１〜３０−ｋは、それぞれ、２重化出力光伝送路を収容している。ここで、この２重化出力光伝送路は、互いに同じＷＤＭ光を伝送する１組の「０系回線」および「１系回線」から構成されている。また、入力回路２０−１〜２０−ｋは、互いに物理的に分離されている必要はない。同様に、出力回路３０−１〜３０−ｋも、互いに物理的に分離されている必要はない。
【００２５】
主スイッチ部１０は、冗長的に構成された光スイッチ１１および光スイッチ１２から構成されている。各光スイッチ１１、１２は、それぞれ、ｎｋ個の入力ポートおよびｎｋ個の出力ポートを備えるｎｋ×ｎｋスイッチであり、任意の入力ポートから入力された光信号を任意の出力ポートに導くことができる。ここで、「ｋ」は、入力回路２０−１〜２０−ｋまたは出力回路３０−１〜３０−ｋの個数であり、「ｎ」は、ＷＤＭ光の波長多重数である。また、各光スイッチ１１、１２は、それぞれ、波長ごとに分波された光信号をルーティングする。さらに、各光スイッチ１１、１２は、それぞれ、図２（ａ）または図２（ｂ）に示したオペレーティングシステムにより制御される。なお、この光クロスコネクト装置が加入者線を収容する場合は、アド回線に対応する入力ポートおよびドロップ回線に対応する出力ポートをさらに備えるようにしてもよい。
【００２６】
各入力回路２０−１〜２０−ｋは、基本的に、互いに同じ構成である。すなわち、各入力回路２０−１〜２０−ｋは、それぞれ、光アンプ２１ａ、２１ｂ、光分波器２２ａ、２２ｂ、光セレクタ２３−１〜２３−ｎ、および光分岐器２４−１〜２４−ｎを備えている。光アンプ２１ａおよび２１ｂは、それぞれ、０系回線および１系回線から入力されるＷＤＭ光を増幅する。光分波器２２ａおよび２２ｂは、それぞれ、光アンプ２１ａおよび２１ｂにより増幅されたＷＤＭ光を波長ごとに分波する。
【００２７】
光セレクタ２３−１〜２３−ｎは、それぞれ、光分波器２２ａおよび２２ｂにより分波された光信号を選択する。具体的には、たとえば、光セレクタ２３−１は、光分波器２２ａから出力される波長λ１の光信号、又は光分波器２２ｂから出力される波長λ１の光信号のいずれか一方を選択して出力する。また、光セレクタ２３−ｎは、光分波器２２ａから出力され波長λｎの光信号、または光分波器２２ｂから出力される波長λｎの光信号のいずれか一方を選択して出力する。ここで、光セレクタ２３−１〜２３−ｎの動作は、それぞれ、オペレーティングシステムの指示に従う。なお、光セレクタ２３−１〜２３−ｎは、それぞれ、例えば、２×１スイッチにより実現される。
【００２８】
光分岐器２４−１〜２４−ｎは、それぞれ、光セレクタ２３−１〜２３−ｎにより選択された光信号を分岐して光スイッチ１１および１２に入力する。なお、光分岐器２４−１〜２４−ｎは、それぞれ、例えば、光カプラにより実現可能である。
【００２９】
なお、各入力回路２０−１〜２０−ｋは、それぞれ、波長ごとに光信号を増幅する光アンプ２５−１〜２５−ｎを必要に応じて備えるようにしてもよい。この場合、光アンプ２５−１〜２５−ｎは、それぞれ、例えば、半導体光アンプ（ＳＯＡ）である。
【００３０】
各出力回路３０−１〜３０−ｋは、基本的に、互いに同じ構成である。すなわち、各出力回路３０−１〜３０−ｋは、それぞれ、光セレクタ３１−１〜３１−ｎ、波長変換器３２−１〜３２−ｎ、光分岐器３３−１〜３３−ｎ、光合波器３４ａ、３４ｂ、および光アンプ３５ａ、３５ｂを備えている。なお、出力回路３０−１〜３０−ｋは、それぞれ、対応する光クロスコネクト装置に送信すべき光信号を主スイッチ部１０から受信する。すなわち、たとえば、出力回路３０−１は、光クロスコネクト装置（＃１）へ送信すべき光信号を光スイッチ１１、１２から受信する。また、出力回路３０−ｋは、光クロスコネクト装置（＃ｋ）へ送信すべき光信号を光スイッチ１１、１２から受信する。
【００３１】
光セレクタ３１−１〜３１−ｎは、それぞれ、光スイッチ１１および光スイッチ１２から出力される光信号を選択して出力する。ここで、光セレクタ３１−１〜３１−ｎの動作は、それぞれ、オペレーティングシステムからの指示に従う。また、光セレクタ３１−１〜３１−ｎは、それぞれ、例えば、２×１スイッチにより実現される。
【００３２】
波長変換器３２−１〜３２−ｎは、それぞれ、光セレクタ３１−１〜３１−ｎにより選択された光信号の波長を予め決められた所定の波長に変換する。具体的には、例えば、波長変換器３２−１は、光セレクタ３１−１により選択された光信号の波長を「波長λ１」に変換する。また、波長変換器３２−ｎは、光セレクタ３１−ｎにより選択された光信号の波長を「波長λｎ」に変換する。ここで、波長変換器３２−１〜３２−ｎは、それぞれ、受信した光信号をいったん電気信号に変換し、その電気信号を光信号に再変換して出力する。このとき、３Ｒ処理（タイミング再生、波形再生、信号再生）が行われてもよい。なお、波長変換器３２−１〜３２−ｎは、それぞれ、例えば、トランンスポンダにより実現することができる。
【００３３】
光分岐器３３−１〜３３−ｎは、それぞれ、波長変換器３２−１〜３２−ｎから出力される光信号を分岐して光合波器３４ａ及び３４ｂに導く。これにより、光合波器３４ａおよび３４ｂには、それぞれ、互いに同じ複数の光信号（λ１〜λｎ）が与えられることになる。なお、光分岐器３３−１〜３３−ｎは、それぞれ、例えば、光カプラにより実現される。
【００３４】
光合波器３４ａおよび３４ｂは、それぞれ、与えられた複数の光信号（λ１〜λｎ）を合波することによりＷＤＭ光を生成する。また、光アンプ３５ａおよび３５ｂは、それぞれ、光合波器３４ａおよび３４ｂにより生成されるＷＤＭ光を増幅する。そして、光アンプ３５ａおよび３５ｂにより増幅されたＷＤＭ光は、それぞれ、０系回線および１系回線に導かれ、対応する光クロスコネクト装置へ送出される。
【００３５】
次に、図４および図５を参照しながら、上記光クロスコネクト装置の動作を説明する。ここでは、光クロスコネクト装置（＃１）から受信した光信号を光クロスコネクト装置（＃４）へルーティングする場合を示す。また、この光信号の波長は「λ１」であるものとする。
【００３６】
図４は、正常時の動作を示す図である。図４において、光クロスコネクト装置（＃１）から送出されたＷＤＭ光（波長λ１の光信号を含む）は、０系回線および１系回線を介して伝送され、入力回路２０−１により受信される。ここで、０系回線および１系回線を介して伝送されるＷＤＭ光は、互いに同じである。
【００３７】
各ＷＤＭ光は、それぞれ、光分波器２２ａおよび２２ｂにより波長ごとに分波される。また、光分波器２２ａおよび２２ｂは、それぞれ、波長λ１の光信号を光セレクタ２３−１へ導く。さらに、光セレクタ２３−１は、光分波器２２ａおよび２２ｂから光信号を受信すると、それらのうちの一方を選択して出力する。ここで、光セレクタ２３−１は、例えば、０系回線を介して受信した光信号を優先的に選択する。そして、光セレクタ２３−１により選択された光信号は、光分岐器２４−１により分岐されて光スイッチ１１および１２に入力される。
【００３８】
このように、入力回路２０−１は、０系回線または１系回線を介して受信した光信号を分岐し、それらを光スイッチ１１および１２に入力する。したがって、互いに同じ光信号が光スイッチ１１、１２の双方に入力されることになる。そして、光スイッチ１１および１２は、それぞれ、その光信号を出力回路３０−４へ導く。
【００３９】
出力回路３０−４において、上記１組の光信号（λ１）は、光セレクタ３１−１に与えられる。そして、光セレクタ３１−１は、その１組の光信号のうちの一方を選択して出力する。ここで、光セレクタ３１−１は、例えば、スイッチ１１から出力される光信号を優先的に選択する。また、波長変換器３２−１は、光セレクタ３１−１により選択された光信号を再生する。ここで、再生される光信号の波長は、「λ１」である。さらに、光分岐器３３−１は、波長変換器３２−１により再生された光信号を分岐して光合波器３４ａおよび３４ｂの双方に与える。そして、これらの光信号は、他の波長の光信号と共に、０系回線および１系回線を介して光クロスコネクト装置（＃４）へ送出される。
【００４０】
このように、出力回路３０−４は、光スイッチ１１または１２から出力される光信号を分岐し、それらを０系回線および１系回線に導く。したがって、互いに同じ光信号が０系回線および１系回線を介して伝送されることになる。
【００４１】
図５は、障害発生時の動作を示す図である。ここでは、光スイッチ１１が故障したものとする。
この場合、入力回路２０−１の動作は、図４を参照しながら説明した通りである。すなわち、互いに同じ光信号が光スイッチ１１および１２に入力される。そして、光スイッチ１１および１２が共に正常であったとすると、上述した通り、１組の光信号（λ１）が出力回路３０−４の光セレクタ３１−１に与えられるはずである。しかし、ここでは、光スイッチ１１が故障しているので、光セレクタ３１−１は、光スイッチ１２のみから光信号が与えられる。そして、光セレクタ３１−１は、その光スイッチ１２から与えられた光信号を出力する。なお、光セレクタ３１−１から出力された光信号が分岐されて０系回線および１系回線へ導かれる動作は、上述した通りである。
【００４２】
このように、第１の実施例の光クロスコネクト装置においては、光スイッチ１１または１２が故障した場合には、出力回路３０−１〜３０−４に設けられている光セレクタ３１−１〜３１−ｎの状態を切り換えることにより、障害の復旧が図れる。
【００４３】
なお、光クロスコネクト装置内の障害を検出する方法は、公知の技術により実現可能である。例えば、図６に示すように、光信号の経路上に光分岐器を設け、対応する光信号を分岐する。続いて、受光素子（ＰＤ）を用いてその分岐された光信号の光レベルを検出し、その検出結果をオペレーティングシステムに通知する。そして、オペレーティングシステムは、通知された光レベルと所定の閾値とを比較することにより、故障の有無を検出する。このとき、オペレーティングシステムは、障害が発生した光デバイスを特定し、所定の指示を対応する光デバイスへ与える。図６に示す例では、スイッチ１１の障害が検出されたときに、光セレクタ３１−１に対して指示が与えられている。
【００４４】
第１の実施例の光クロスコネクト装置は、図３１に示した従来の光クロスコネクト装置と比較すると、波長変換器３１−１〜３１−ｎ（図３１では、光再生器５０８）の数を半分にすることができる。すなわち、出力回路ごとに必要な波長変換器の数は、図３１に示した従来の光クロスコネクト装置では「２ｎ個」であるが、第１の実施例の光クロスコネクト装置は「ｎ個」である。したがって、第１の実施例の光クロスコネクト装置は、従来の光クロスコネクト装置と比較すると、そのサイズを小さくすることができ、また、低コスト化が図れる。更に、入力回路においても、図３１に示した従来の光クロスコネクト装置と比較すると、光セレクタおよび光分岐器の数を減らすことができる。
第２の実施例
図７は、第２の実施例の光クロスコネクト装置の構成図である。この光クロスコネクト装置は、光スイッチ部１１および１２、複数の入力回路４０−１〜４０−ｋ、および複数の出力回路５０−１〜５０−ｋを備えている。なお、この実施例では、各２重化光伝送路は、それぞれ、互いに異なるＷＤＭ光を伝送する１組の「現用系回線Ｗ」および「予備系回線Ｐ」から構成されている。ここで、予備系回線Ｐを介して伝送される信号は、現用系回線Ｗを介して伝送される信号よりも優先度が低いものとする。
【００４５】
光スイッチ１１および１２は、第１の実施例において説明した通りである。したがって、ここでは、その説明を省略する。
入力回路４０−１〜４０−ｋは、それぞれ、光アンプ２１ａ、２１ｂ、光分波器２２ａ、２２ｂ、および光スイッチ４１−１〜４１−ｎを備える。なお、光アンプ２１ａ、２１ｂ、および光分波器２２ａ、２２ｂについては、第１の実施例において説明した通りである。
【００４６】
光スイッチ４１−１〜４１−ｎは、それぞれ、光分波器２２ａおよび２２ｂにより波長ごとに分波される光信号の一方を光スイッチ１１へ導き、他方を光スイッチ１２へ導く。たとえば、光スイッチ４１−１は、光分波器２２ａから出力される波長λ１の光信号を光スイッチ１１、１２の一方に送信し、光分波器２２ｂから出力される波長λ１の光信号を光スイッチ１１、１２の他方に出力する。また、光スイッチ４１−ｎは、光分波器２２ａから出力される波長λｎの光信号を光スイッチ１１、１２の一方に送信し、光分波器２２ｂから出力される波長λｎの光信号を光スイッチ１１、１２の他方に出力する。このとき、光スイッチ４１−１〜４１−ｎの動作は、それぞれ、オペレーティングシステムからの指示に従う。なお、光スイッチ４１−１〜４１−ｎは、それぞれ、例えば、２×２スイッチにより実現される。
【００４７】
出力回路５０−１〜５０−ｋは、それぞれ、光スイッチ５１−１〜５１−ｎ、波長変換器３２ａ−１〜３２ａ−ｎ、３２ｂ−１〜３２ｂ−ｎ、光合波器３４ａ、３４ｂ、および光アンプ３５ａ、３５ｂを備える。なお、光合波器３４ａ、３４ｂ、および光アンプ３５ａ、３５ｂは、第１の実施例において説明した通りである。また、波長変換器３２ａ−１〜３２ａ−ｎ、３２ｂ−１〜３２ｂ−ｎは、それぞれ、第１の実施例において説明した波長変換器３２−１〜３２−ｎと同じである。ただし、波長変換器３２ａ−１〜３２ａ−ｎは、現用系回線Ｗを介して伝送される光信号の波長を変換するために設けられている。一方、波長変換器３２ｂ−１〜３２ｂ−ｎは、予備系回線Ｐを介して伝送される光信号の波長を変換するために設けられている。
【００４８】
光スイッチ５１−１〜５１−ｎは、それぞれ、光スイッチ１１および１２から出力される信号光の一方を波長変換器３２ａ−１〜３２ａ−ｎへ導き、他方を波長変換器３２ｂ−１〜３２ｂ−ｎへ導く。例えば、光スイッチ５１−１は、光スイッチ１１から出力される波長λ１の光信号を波長変換器３２ａ−１、３２ｂ−１の一方に送信し、光スイッチ１２から出力される波長λ１の光信号を波長変換器３２ａ−１、３２ｂ−１の他方に出力する。また、光スイッチ５１−ｎは、光スイッチ１１から出力される波長λｎの光信号を波長変換器３２ａ−ｎ、３２ｂ−ｎの一方に送信し、光スイッチ１２から出力される波長λｎの光信号を波長変換器３２ａ−ｎ、３２ｂ−ｎの他方に出力する。ここで、光スイッチ５１−１〜５１−ｎの動作は、それぞれ、オペレーティングシステムからの指示に従う。なお、光スイッチ５１−１〜５１−ｎは、それぞれ、例えば、２×２スイッチにより実現される。
【００４９】
次に、図８および図９を参照しながら、第２の実施例の光クロスコネクト装置の動作を説明する。ここでは、第１の実施例についての説明と同様に、光クロスコネクト装置（＃１）から受信した光信号を光クロスコネクト装置（＃４）へルーティングする場合を示す。また、この光信号の波長は「λ１」であるものとする。
【００５０】
図８は、正常時の動作を示す図である。図８において、光クロスコネクト装置（＃１）から送出されたＷＤＭ光（波長λ１の光信号を含む）は、現用系回線Ｗおよび予備系回線Ｐを介して伝送され、入力回路４０−１により受信される。ここで、予備系回線Ｐを介して伝送される信号は、現用系回線Ｗを介して伝送される信号よりも優先度が低い。
【００５１】
各ＷＤＭ光は、それぞれ、光分波器２２ａおよび２２ｂにより波長ごとに分波される。このとき、光分波器２２ａおよび２２ｂは、それぞれ、波長λ１の光信号を光スイッチ４１−１へ導く。そして、光スイッチ４１−１は、光分波器２２ａから出力された光信号を光スイッチ１１へ導き、光分波器２２ｂから出力された光信号を光スイッチ１２へ導く。
【００５２】
このように、入力回路４０−１は、現用系回線Ｗを介して受信した光信号を光スイッチ１１へ導き、予備系回線Ｐを介して受信した光信号を光スイッチ１２へ導く。すなわち、正常時には、優先度の高い光信号は光スイッチ１１に入力されると共に、優先度の低い光信号は光スイッチ１２に入力される。そして、光スイッチ１１および１２は、それぞれ、その光信号を出力回路５０−４へ導く。
【００５３】
出力回路５０−４において、上記１組の光信号（λ１）は、光スイッチ５１−１に与えられる。そして、光スイッチ５１−１は、光スイッチ１１から与えられた光信号を波長変換器３２ａ−１へ導き、光スイッチ１２から与えられた光信号を波長変換器３２ｂ−１へ導く。また、波長変換器３２ａ−１および３２ｂ−１は、光スイッチ５１−１から出力される光信号を再生する。このとき、再生される光信号の波長は、「λ１」である。そして、波長変換器３２ａ−１により再生された光信号は、他の波長の光信号と共に現用系回線Ｗを介して光クロスコネクト装置（＃４）へ送出される。一方、波長変換器３２ｂ−１により再生された光信号は、他の波長の光信号と共に予備系回線Ｐを介して光クロスコネクト装置（＃４）へ送出される。
【００５４】
このように、出力回路５０−４は、光スイッチ１１から出力される光信号を現用系回線Ｗに導くと共に、光スイッチ１２から出力される光信号を予備系回線Ｐに導く。
【００５５】
図９は、障害発生時の動作を示す図である。ここでは、光スイッチ１１が故障したものとする。
この場合、入力回路４０−１において、光スイッチ４１−１は、現用系回線Ｗから受信した光信号を光スイッチ１２へ導き、予備系回線Ｐから受信した光信号を光スイッチ１１へ導く。このとき、光スイッチ１２は、光スイッチ４１−１から受信した光信号を出力回路５０−４の光スイッチ５１−１へ導く。そして、この光スイッチ５１−１は、光スイッチ１２から与えられる光信号を波長変換器３２ａ−１へ導く。なお、波長変換器３２ａ−１により再生される光信号が現用系回線Ｗへ出力される動作は、上述した通りである。
【００５６】
このように、第２の実施例の光クロスコネクト装置においては、優先度の高い光信号をルーティングするためのスイッチ（ここでは、光スイッチ１１）が故障したときは、その光信号は、他のスイッチ（ここでは、光スイッチ１２）によりルーティングされる。これにより、障害からの復旧が図れる。
【００５７】
第２の実施例の光クロスコネクト装置は、図３１に示した従来の光クロスコネクト装置と比較すると、入力ポートから出力ポート至る経路上に光分岐器が設けられていない。ここで、光分岐器を用いて光信号を１：１に分岐すると、その光信号のレベルは、３ｄＢ低下する。したがって、第２の実施例の光クロスコネクト装置は、装置内で発生する光損失が小さくなる。
れる。
第３の実施例
図１０は、第３の実施例の光クロスコネクト装置の構成図である。第３の実施例の光クロスコネクト装置は、第２の実施例の光クロスコネクト装置に回線を切り換える機能を追加することにより実現される。
【００５８】
すなわち、各入力回路４０−１〜４０−ｋは、それぞれ、上述した光アンプ２１ａ、２１ｂ、光分波器２２ａ、２２ｂ、光スイッチ４１−１〜４１−ｎに加えて、光スイッチ４２を備える。光スイッチは、現用系回線Ｗおよび予備系回線Ｐを収容し、それらの回線から入力されるＷＤＭ光を光アンプ２１ａまたは２１ｂに導く。なお、光スイッチ４２の動作は、オペレーティングシステムにより制御される。また、光スイッチ４２は、例えば、２×２スイッチにより実現される。
【００５９】
一方、各出力回路５０−１〜５０−ｋは、それぞれ、上述した光スイッチ５１−１〜５１−ｎ、波長変換器３２ａ−１〜３２ａ−ｎ、３２ｂ−１〜３２ｂ−ｎ、光合波器３４ａ、３４ｂ、光アンプ３５ａ、３５ｂに加えて、光スイッチ５２を備える。光スイッチ５２は、光アンプ３５ａおよび３５ｂにより増幅されたＷＤＭ光を、現用系回線Ｗまたは予備系回線Ｐに導く。なお、光スイッチ５２の動作は、オペレーティングシステムにより制御される。また、光スイッチ５２は、例えば、２×２スイッチにより実現される。
【００６０】
次に、図１１および図１２を参照しながら、第３の実施例の光クロスコネクト装置の動作を説明する。なお、伝送される信号は、上述の実施例と同じであるものとする
図１１は、正常時の動作を示す図である。正常動作時においては、光スイッチ４２は、現用系回線Ｗを介して受信したＷＤＭ光を光アンプ２１ａに導き、予備系回線Ｐを介して受信したＷＤＭ光を光アンプ２１ｂに導く。すなわち、この場合、現用系回線ＷからのＷＤＭ光が光アンプ２１ａに入力され、予備系回線ＰからのＷＤＭ光が光アンプ２１ｂに入力されるので、入力回路４０−１の光アンプ２１ａ、２１ｂから出力回路５０−４の光アンプ３５ａ、３５ｂへ至る経路における動作は、図８に示した第２の実施例と同じである。すなわち、現用系回線Ｗを介して受信したＷＤＭ光の中に含まれている波長λ１の光信号は、光分波器２２ａ、光スイッチ４１−１、光スイッチ１１、光スイッチ５１−１、波長変換器３２ａ−１、光合波器３４ａを介して伝送された後、他の波長の光信号と共に光アンプ３５ａにより増幅される。一方、予備系回線Ｐを介して受信したＷＤＭ光の中に含まれている波長λ１の光信号は、光分波器２２ｂ、光スイッチ４１−１、光スイッチ１２、光スイッチ５１−１、波長変換器３２ｂ−１、光合波器３４ｂを介して伝送された後、他の波長の光信号と共に光アンプ３５ｂにより増幅される。そして、光スイッチ５２は、光アンプ３５ａにより増幅されたＷＤＭ光を現用系回線Ｗに導き、光アンプ３５ｂにより増幅されたＷＤＭ光を予備系回線Ｐに導く。
【００６１】
このように、正常動作時の動作は、基本的に、第２の実施例の光クロスコネクト装置と同じである。
図１２は、障害発生時の動作を示す図である。第３の実施例の光クロスコネクト装置において光スイッチ１１が故障すると、光スイッチ４２が「バー状態」から「クロス状態」に切り換えられるともに、光スイッチ５２が「バー状態」から「クロス状態」に切り換えられる。一方、他の光デバイス（光スイッチ４１−１〜４１−ｎ、光スイッチ１１、１２、光スイッチ５１−１〜５１−ｎ）は、正常時と同じ状態を保持する。
【００６２】
すなわち、光スイッチ４２が「バー状態」から「クロス状態」に切り換えられているので、現用系回線Ｗを介して受信したＷＤＭ光は、光アンプ２１ｂに導かれる。また、光スイッチ４１−１〜４１−ｎ、光スイッチ１１、１２、光スイッチ５１−１〜５１−ｎは、正常時と同じ状態を保持している。したがって、現用系回線Ｗを介して受信したＷＤＭ光に含まれている波長λ１の光信号は、光スイッチ４１−１、光スイッチ１２、光スイッチ５１−１、波長変換器３２ｂ−１、光合波器３４ｂを介して伝送された後、他の波長の光信号と共に光アンプ３５ｂにより増幅される。そして、光スイッチ５２も「バー状態」から「クロス状態」に切り換えられているので、光アンプ３５ｂにより増幅されたＷＤＭ光は、現用系回線Ｗに導かれる。
【００６３】
このように、第３の実施例の光クロスコネクト装置においては、光スイッチ１１が故障した場合には、光スイッチ４２および光スイッチ５２の状態を切り換えるだけで、その障害を復旧できる。
第４の実施例
図１３は、第４の実施例の光クロスコネクト装置の構成図である。第４の実施例の光クロスコネクト装置は、ＷＤＭ光の中に含まれる任意の波長に対応する光デバイスが故障したときに、その障害を普及するための機能を備えている。換言すれば、第４の実施例の光クロスコネクト装置は、その回線インタフェース部が冗長的に構成されている。なお、図１３においては、光クロスコネクト装置間を接続する２重化光伝送路のうちの一方の伝送路のみが描かれている。また、冗長的に構成された主スイッチの中の１つの光スイッチのみが描かれている。
【００６４】
第４の実施例の光クロスコネクト装置は、光スイッチ１３、入力回路６０−１〜６０−ｋ、および出力回路７０−１〜７０−ｋを備える。光スイッチ１３は、（ｎｋ＋ｋ）×（ｎｋ＋ｋ）スイッチである。
【００６５】
各入力回路６０−１〜６０−ｋは、それぞれ、光分岐器６１、光アンプ６２、光分波器６３、波長選択器６４、及び光アンプ６５を備える。光分岐器６１は、入力ＷＤＭ光を分岐する。なお、光分岐器６１における分岐比は、特に限定されるものではないが、例えば「ｎ：１」である。また、光分岐器６１は、例えば、光カプラにより実現される。光アンプ６２は、光分岐器６１を介して与えられるＷＤＭ光を増幅する。そして、光分波器６３は、光アンプ６３により増幅されたＷＤＭ光を波長ごとに分波し、各光信号を光スイッチ１３に入力する。
【００６６】
一方、波長選択器６４は、ＷＤＭ光に含まれている複数の光信号の中から、オペレーティングシステムにより指定された波長の光信号を選択して出力する。そして、光アンプ６５は、波長選択器６４により選択された光信号を増幅して光スイッチ１３に入力する。なお、光アンプ６５は、一定の光レベルが得られるときには、設ける必要がない。
【００６７】
上記入力回路において、何らかの障害により、複数の光信号λ１〜λｎの中の任意の光信号λｘが光スイッチ１３に入力されなくなると、波長選択器６４は、ＷＤＭ光から波長λｘの光信号を選択して出力する。これにより、入力回路内で発生した障害を復旧させることができる。
【００６８】
各出力回路７０−１〜７０−ｋは、それぞれ、固定波長変換器７１−１〜７１−ｎ、光合波器７２、光増幅器７３、可変波長変換器７４、光アンプ７５、光合流器７６を備える。固定波長変換器７１−１〜７１−ｎは、それぞれ、光スイッチ１３から与えられる光信号の波長を予め決められた所定の波長に変換する。例えば、固定波長変換器７１−１は与えられた光信号の波長を「λ１」に変換し、固定波長変換器７１−ｎは与えられた光信号の波長を「λｎ」に変換する。このとき、各光信号は、それぞれ固定波長変換器７１−１〜７１−ｎにより再生される。光合波器７２は、固定波長変換器７１−１〜７１−ｎにより再生された光信号を合波することによりＷＤＭ光を生成する。そして、光増幅器７３は、光合波器７２により生成されたＷＤＭ光を増幅する。
【００６９】
一方、可変波長変換器７４は、与えられた光信号の波長を、オペレーティングシステムにより指定された波長に変換する。このとき、この光信号は、可変波長変換器７４により再生される。そして、光アンプ７５は、可変波長変換器７４により再生された光信号を増幅する。なお、光アンプ７５は、一定の光レベルが得られるときは、設ける必要がない。さらに、光合流器７６は、光アンプ７３により増幅されたＷＤＭ光および可変波長変換器７４により再生された光信号を合流させる。なお、光合流器７６は、例えば、光カプラにより実現される。
【００７０】
上記出力回路において、何らかの障害により、複数の光信号λ１〜λｎの中の任意の光信号λｘを出力できなくなると、光スイッチ１３は、その光信号を可変波長変換器７４に導き、可変波長変換器７４は、その光信号の波長を「λｘ」に変換して出力する。これにより、出力回路内で発生した障害を復旧させることができる。
【００７１】
このように、第４の実施例の光クロスコネクト装置においては、固定波長変換器７１−１〜７１−ｎを２重化することなく、任意の波長に係わる障害に対する復旧を行うことができる。例えば、ＷＤＭ光の波長数が「３２」であったとすると、上記機能は、本発明によれば、３２個の固定波長変換器および１個の可変波長変換器により実現されるが、本発明を導入しなければ、６４（＝３２×２）個の固定波長変換器が必要になる。
第５の実施例
図１４は、第５の実施例の光クロスコネクト装置の構成図である。第５の実施例の光クロスコネクト装置の基本構成は、図１３に示した第４の実施例の光クロスコネクト装置と同じである。ただし、第５の実施例の光クロスコネクト装置では、入力回路において、入力ＷＤＭ光は、光アンプ６２により増幅された後に光分岐器６１により分岐される。したがって、光アンプ６５を備える必要がない。また、出力回路において、光合波器７２により生成されるＷＤＭ光は、光アンプ７３により増幅される前に、可変波長変換器７４により再生される光信号と合流される。したがって、光アンプ７５を備える必要がない。
第６〜第１１の実施例の構成
第６〜第１１の実施例について、図１５〜図２０を参照しながら説明する。第６〜第１１の実施例の光クロスコネクト装置は、上述した第１〜第５の実施例の光クロスコネクト装置を適切に組み合わせることによって実現される。ただし、第６〜第１１の実施例の光クロスコネクト装置の主スイッチ部１０は、冗長的に構成された１組の（ｎｋ＋ｋ）×（ｎｋ＋ｋ）スイッチ１３および１４を備えている。なお、図１５〜図２０においては、１つの入力回路および１つの出力回路のみが描かれているが、実際には、ｋ個の入力回路およびｋ個の出力回路を備えている。
【００７２】
図１５は、第６の実施例の光クロスコネクト装置の構成図である。第６の実施例の光クロスコネクト装置は、基本的に、図３に示した第１の実施例の光クロスコネクト装置と図１３に示した第４の実施例の光クロスコネクト装置とを組み合わせることにより実現される。
【００７３】
一方、図１６は、第７の実施例の光クロスコネクト装置の構成図である。第７の実施例の光クロスコネクト装置は、基本的に、図３に示した第１の実施例の光クロスコネクト装置と図１４に示した第５の実施例の光クロスコネクト装置とを組み合わせることにより実現される。
【００７４】
第６および第７の実施例の光クロスコネクト装置においては、０系回線および１系回線を介して互いに同じＷＤＭ信号が伝送される。そして、波長選択器６４ａは、０系回線を介して受信したＷＤＭ光から、オペレーティングシステムにより指定された波長の光信号を選択して出力する。一方、波長選択器６４ｂは、１系回線を介して受信したＷＤＭ光から、オペレーティングシステムにより指定された波長の光信号を選択して出力する。さらに、光セレクタ２３−ｘは、波長選択器６４ａまたは６４ｂにより選択された光信号を光分岐器２４−ｘに導く。そして、光分岐器２４−ｘは、光セレクタ２４−ｘにより選択された光信号を分岐して光スイッチ１３および１４に入力する。
【００７５】
出力回路においては、光セレクタ３１−ｘは、光スイッチ１３および１４から与えられる光信号のうちの一方を選択する。可変波長変換器７４は、光セレクタ３１−ｘにより選択された光信号の波長を、オペレーティングシステムから指定された波長に変換する。このとき、光信号は、可変波長変換器７４により再生される。そして、可変波長変換器７４により再生された光信号は、光分岐器３３−ｘにより分岐され、０系回線に出力されるＷＤＭ光および１系回線に出力されるＷＤＭ光にそれぞれ合流される。
【００７６】
このように、第６および第７の実施例の光クロスコネクト装置においては、固定波長変換器を２重化することなく、主スイッチの障害または任意の波長に係わる回線障害に対する復旧が可能になる。
【００７７】
図１７は、第８の実施例の光クロスコネクト装置の構成図である。第８の実施例の光クロスコネクト装置は、基本的に、図７に示した第２の実施例の光クロスコネクト装置と図１３に示した第４の実施例の光クロスコネクト装置とを組み合わせることにより実現される。
【００７８】
一方、図１８は、第９の実施例の光クロスコネクト装置の構成図である。第９の実施例の光クロスコネクト装置は、基本的に、図７に示した第２の実施例の光クロスコネクト装置と図１４に示した第５の実施例の光クロスコネクト装置とを組み合わせることにより実現される。
【００７９】
第８および第９の実施例の光クロスコネクト装置においては、現用系回線Ｗおよび予備系回線Ｐを介して互いに異なるＷＤＭ信号が伝送される。そして、波長選択器６４ａは、現用系回線Ｗを介して受信したＷＤＭ光から、オペレーティングシステムにより指定された波長の光信号を選択して出力する。一方、波長選択器６４ｂは、予備系回線Ｐを介して受信したＷＤＭ光から、オペレーティングシステムにより指定された波長の光信号を選択して出力する。そして、光スイッチ４１−ｘは、波長選択器６４ａおよび６４ｂにより選択された光信号の一方を光スイッチ１３に導き、他方を光スイッチ１４に導く。
【００８０】
出力回路においては、光スイッチ５１−ｘは、光スイッチ１３および１４から与えられる光信号のうちの一方を可変波長変換器７４ａに導き、他方を可変波長変換器７４ｂに導く。可変波長変換器７４ａおよび７４ｂは、それぞれ、光スイッチ５１−ｘから与えられる光信号の波長を、オペレーティングシステムから指定された波長に変換する。そして、これらの光信号は、それぞれ、現用系回線Ｗに出力されるＷＤＭ光および予備系回線Ｐに出力されるＷＤＭ光に合流される。
【００８１】
このように、第６および第７の実施例の光クロスコネクト装置においては、固定波長変換器を２重化することなく、主スイッチの障害または任意の波長に係わる回線障害に対する復旧が可能になる。
【００８２】
図１９は、第１０の実施例の光クロスコネクト装置の構成図である。第１０の実施例の光クロスコネクト装置は、基本的に、図１０に示した第３の実施例の光クロスコネクト装置と図１３に示した第４の実施例の光クロスコネクト装置とを組み合わせることにより実現される。すなわち、第１０の実施例の光クロスコネクト装置は、図１７に示した第８の実施例の光クロスコネクト装置に光スイッチ４２および光スイッチ５２を追加することにより実現される。
【００８３】
一方、図２０は、第１１の実施例の光クロスコネクト装置の構成図である。第１１の実施例の光クロスコネクト装置は、基本的に、図１０に示した第３の実施例の光クロスコネクト装置と図１４に示した第５の実施例の光クロスコネクト装置とを組み合わせることにより実現される。すなわち、第１１の実施例の光クロスコネクト装置は、図１８に示した第９の実施例の光クロスコネクト装置に光スイッチ４２および光スイッチ５２を追加することにより実現される。
第６〜第１１の実施例の動作
第６〜第１１の実施例の光クロスコネクト装置の動作を説明する。なお、以下では、光クロスコネクト装置（＃１）から受信した光信号を光クロスコネクト装置（＃４）へルーティングする場合を示す。また、この光信号の波長は「λ１」であるものとする。
【００８４】
図２１〜図２３は、第６および第７の実施例の光クロスコネクト装置の動作を説明する図である。なお、ここでは、第６の実施例の光クロスコネクト装置の動作を説明するが、第７の実施例の光クロスコネクト装置の動作も同じである。
【００８５】
図２１は、正常時の動作を示す図である。図２１において、光クロスコネクト装置（＃１）から送出されたＷＤＭ光（波長λ１の光信号を含む）は、０系回線および１系回線を介して伝送される。ここで、０系回線および１系回線を介して伝送されるＷＤＭ光は、互いに同じである。
【００８６】
正常動作時には、波長選択器（可変波長フィルタ）６４ａおよび６４ｂは、光信号を出力しない。また、可変波長変換器（波長可変ＴＲＰ）７４には、光信号が与えられない。したがって、この場合、第６の実施例の光クロスコネクト装置の動作は、図４に示した第１の実施例の光クロスコネクト装置の動作と同じである。
【００８７】
図２２は、出力回路内の任意の固定波長変換器が故障したときの動作を示す図である。ここでは、出力すべき光信号の波長を「λ１」に変換するための固定波長変換器（ＴＲＰ）３２−１が故障したものとする。
【００８８】
この場合、光スイッチ１３、１４、光セレクタ３１−ｘ、及び可変波長変換器７４は、オペレーティングシステムからの指示に従って以下のように動作する。すなわち、光スイッチ１３および１４は、それぞれ、光セレクタ２３−１により選択された光信号を光セレクタ３１−ｘに導く。また、光セレクタ３１−ｘは、光スイッチ１３から与えられる光信号を選択する。さらに、可変波長変換器７４は、光セレクタ３１−ｘにより選択された光信号の波長を「λ１」に変換する。そして、可変波長変換器７４から出力される光信号は、光分岐器３３−ｘにより分岐され、０系回線に出力されるＷＤＭ光および１系回線に出力されるＷＤＭ光にそれぞれ合流される。
【００８９】
このように、波長λ１の光信号を生成する波長変換器が故障した場合には、可変波長変換器７４が波長λ１の光信号を生成するように動作する。そして、これにより、障害に対する復旧が図れる。
【００９０】
図２３は、入力回路内の任意の波長に対応する光デバイスが故障したときの動作を示す図である。ここでは、波長λ１の光信号を分岐するための光分岐器（光カプラ）２４−１が故障したものとする。
【００９１】
この場合、波長選択器（可変波長フィルタ）６４ａ、６４ｂ、光セレクタ２３−ｘ、及び光スイッチ１３、１４は、オペレーティングシステムからの指示に従って以下のように動作する。すなわち、波長選択器６４ａおよび６４ｂは、それぞれ、入力ＷＤＭ光から波長λ１の光信号を選択する。また、光セレクタ２３−ｘは、波長選択器６４ａから出力される光信号を選択する。ここで、光セレクタ２３−ｘにより選択された光信号は、光分岐器２４−ｘにより分岐されて光スイッチ１３および１４に入力される。さらに、スイッチ１３および１４は、それぞれ、光セレクタ２３−１により選択された光信号を光セレクタ３１−１に導く。そして、この光信号は、光分岐器（光カプラ）３３−１により分岐され、０系回線に出力されるＷＤＭ光および１系回線に出力されるＷＤＭ光にそれぞれ合流される。
【００９２】
このように、入力回路において波長λ１に係わる光デバイスが故障した場合には、波長選択器６４ａ、６４ｂが波長λ１の光信号を選択するように動作する。そして、これにより、障害に対する復旧が図れる。
【００９３】
図２４〜図２６は、第８および第９の実施例の光クロスコネクト装置の動作を説明する図である。なお、ここでは、第９の実施例の光クロスコネクト装置の動作を説明するが、第８の実施例の光クロスコネクト装置の動作も同じである。
【００９４】
図２４は、正常時の動作を示す図である。図２４において、光クロスコネクト装置（＃１）から送出されたＷＤＭ光（波長λ１の光信号を含む）は、現用系回線Ｗおよび予備系回線Ｐを介して伝送される。ここで、現用系回線Ｗを介して伝送される信号の優先度は、予備系回線Ｐを介して伝送される信号の優先度よりも高い。
【００９５】
正常動作時には、波長選択器（可変波長フィルタ）６４ａ、６４ｂは、光信号を出力しない。また、可変波長変換器（波長可変ＴＲＰ）７４ａ、７４ｂには、光信号が与えられない。したがって、この場合、第９の実施例の光クロスコネクト装置の動作は、図８に示した第２の実施例の光クロスコネクト装置の動作と同じである。
【００９６】
図２５は、出力回路内の任意の固定波長変換器が故障したときの動作を示す図である。ここでは、出力すべき光信号の波長を「λ１」に変換するための固定波長変換器（ＴＲＰ）３２ａ−１が故障したものとする。
【００９７】
この場合、光スイッチ１３、光スイッチ５１−ｘ、および可変波長変換器７４ａは、オペレーティングシステムからの指示に従って以下のように動作する。すなわち、光スイッチ１３は、光スイッチ４１−１を介して入力される光信号を光スイッチ５１−ｘに導く。また、光スイッチ５１−ｘは、光スイッチ１３から与えられる光信号を可変波長変換器７４ａに導く。さらに、可変波長変換器７４ａは、光スイッチ５１−ｘを介して受け取った光信号の波長を「λ１」に変換する。そして、可変波長変換器７４ａから出力される光信号は、現用系回線Ｗに出力されるＷＤＭ光に合流される。なお、予備系回線Ｐを介して受信した光信号は、正常時と同じルートで出力側の予備系回線Ｐに導かれる。
【００９８】
このように、波長λ１の光信号を生成する波長変換器が故障した場合には、可変波長変換器７４ａが波長λ１の光信号を生成するように動作する。そして、これにより、障害に対する復旧が図れる。
【００９９】
図２６は、入力回路内の任意の波長に対応する光デバイスが故障したときの動作を示す図である。ここでは、波長λ１の光信号をルーティングするための光スイッチ４１−１が故障したものとする。
【０１００】
この場合、波長選択器（可変波長フィルタ）６４ａ、６４ｂ、光スイッチ４１−ｘ、及び光スイッチ１３、１４は、オペレーティングシステムからの指示に従って以下のように動作する。すなわち、波長選択器６４ａおよび６４ｂは、それぞれ、入力ＷＤＭ光から波長λ１の光信号を選択する。また、光スイッチ４１−ｘは、波長選択器６４ａから出力される光信号を光スイッチ１３に導き、波長選択器６４ｂから出力される光信号を光スイッチ１４に導く。さらに、スイッチ１３および１４は、それぞれ、光スイッチ４１−ｘから出力される光信号を光スイッチ５１−１に導く。そして、これらの光信号は、それぞれ、現用系回線Ｗおよび予備系回線Ｐへ導かれる。
【０１０１】
このように、入力回路において波長λ１に係わる光デバイスが故障した場合には、波長選択器６４ａ、６４ｂが波長λ１の光信号を選択するように動作する。そして、これにより、障害に対する復旧が図れる。
【０１０２】
図２７〜図２９は、第１０および第１１の実施例の光クロスコネクト装置の動作を説明する図である。なお、ここでは、第１１の実施例の光クロスコネクト装置の動作を説明するが、第１０の実施例の光クロスコネクト装置の動作も同じである。
【０１０３】
図２７は、正常時の動作を示す図である。正常動作時には、波長選択器（可変波長フィルタ）６４ａ、６４ｂは、光信号を出力しない。また、可変波長変換器（波長可変ＴＲＰ）７４ａ、７４ｂには、光信号が与えられない。したがって、この場合、第１１の実施例の光クロスコネクト装置の動作は、図１１に示した第３の実施例の光クロスコネクト装置の動作と同じである。
【０１０４】
図２８は、出力回路内の任意の固定波長変換器が故障したときの動作を示す図である。ここでは、出力すべき光信号の波長を「λ１」に変換するための固定波長変換器（ＴＲＰ）３２ａ−１が故障したものとする。この場合の復旧動作は、図２５に示した動作と同じになるので、説明を省略する。
【０１０５】
図２９は、入力回路内の任意の波長に対応する光デバイスが故障したときの動作を示す図である。ここでは、波長λ１の光信号を分岐するための光スイッチ４１−１が故障したものとする。この場合の復旧動作は、図２６に示した動作と同じになるので、説明を省略する。
【０１０６】
（付記１）複数組の２重化入力伝送路および複数組の２重化出力伝送路を収容する光クロスコネクト装置であって、
第１の主スイッチと、
第２の主スイッチと、
各２重化入力伝送路に対して設けられる複数の入力回路と、
各２重化出力伝送路に対して設けられる複数の出力回路、を備え、
各入力回路が、
対応する２重化入力伝送路を構成する第１の入力伝送路を介して受信したＷＤＭ光を波長ごとに分波する第１の分波器と、
対応する２重化入力伝送路を構成する第２の入力伝送路を介して受信したＷＤＭ光を波長ごとに分波する第２の分波器と、
入力波長ごとに設けられ、それぞれ、上記第１の分波器から出力される光信号または上記第２の分波器から出力される光信号の一方を選択する複数の第１の選択手段と、
それぞれ、対応する第１の選択手段により選択された光信号を分岐して上記第１および第２の主スイッチに導く複数の第１の光分岐器、を有し、
上記出力回路が、
それぞれ、第１の主スイッチから出力される光信号または第２の主スイッチから出力される光信号の一方を選択する複数の第２の選択手段と、
それぞれ、対応する第２の選択手段により選択された光信号から所定の出力波長を持った光信号を生成する複数の生成手段と、
複数の光信号を合波して上記２重化出力伝送路を構成する第１の出力伝送路へ導く第１の合波器と、
複数の光信号を合波して上記２重化出力伝送路を構成する第２の出力伝送路へ導く第２の合波器と、
それぞれ、対応する生成手段により生成された光信号を分岐して上記第１および第２の合波器に導く複数の第２の光分岐器、を有する
を特徴とする光クロスコネクト装置。
【０１０７】
（付記２）複数組の２重化入力伝送路および複数組の２重化出力伝送路を収容する光クロスコネクト装置であって、
第１の主スイッチと、
第２の主スイッチと、
各２重化入力伝送路に対して設けられる複数の入力回路と、
各２重化出力伝送路に対して設けられる複数の出力回路、を備え、
各入力回路は、対応する２重化入力伝送路を介して受信したＷＤＭ光に含まれている複数の信号光を上記第１および第２の主スイッチに導く手段を有し、
上記出力回路が、
それぞれ、第１の主スイッチから出力される光信号または第２の主スイッチから出力される光信号の一方を選択する複数の選択手段と、
それぞれ、対応する選択手段により選択された光信号から所定の波長を持った光信号を生成する複数の生成手段と、
複数の光信号を合波して上記２重化出力伝送路を構成する第１の出力伝送路へ導く第１の合波器と、
複数の光信号を合波して上記２重化出力伝送路を構成する第２の出力伝送路へ導く第２の合波器と、
それぞれ、対応する生成手段により生成された光信号を分岐して上記第１および第２の合波器に導く複数の光分岐器、を有する
を特徴とする光クロスコネクト装置。
【０１０８】
（付記３）複数組の２重化入力伝送路および複数組の２重化出力伝送路を収容する光クロスコネクト装置であって、
第１の主スイッチと、
第２の主スイッチと、
各２重化入力伝送路に対して設けられる複数の入力回路と、
各２重化出力伝送路に対して設けられる複数の出力回路、を備え、
各入力回路が、
対応する２重化入力伝送路を構成する第１の入力伝送路を介して受信したＷＤＭ光を波長ごとに分波する第１の分波器と、
対応する２重化入力伝送路を構成する第２の入力伝送路を介して受信したＷＤＭ光を波長ごとに分波する第２の分波器と、
入力波長ごとに設けられ、それぞれ、上記第１の分波器から出力される光信号および上記第２の分波器から出力される光信号の一方を上記第１の主スイッチへ導き、他方を上記第２の主スイッチへ導く複数の第１の切替手段、を有し、
上記出力回路が、
複数の光信号を合波して上記２重化出力伝送路を構成する第１の出力伝送路へ導く第１の合波器と、
複数の光信号を合波して上記２重化出力伝送路を構成する第２の出力伝送路へ導く第２の合波器と、
それぞれ、第１の主スイッチから出力される光信号および第２の主スイッチから出力される光信号の一方を上記第１の合波器に導き、他方を上記第２の合波器に導く複数の第２の切替手段、を有する
を特徴とする光クロスコネクト装置。
【０１０９】
（付記４）複数組の２重化入力伝送路および複数組の２重化出力伝送路を収容する光クロスコネクト装置であって、
第１の主スイッチと、
第２の主スイッチと、
各２重化入力伝送路に対して設けられる複数の入力回路と、
各２重化出力伝送路に対して設けられる複数の出力回路、を備え、
各入力回路が、
ＷＤＭ光を波長ごとに分波する第１の分波器と、
ＷＤＭ光を波長ごとに分波する第２の分波器と、
対応する２重化入力伝送路を介して受信した１組のＷＭＤ光の一方を上記第１の分波器に導き、他方を上記第２の合波器に導く第１の伝送路切替手段と、
入力波長ごとに設けられ、それぞれ、上記第１の分波器から出力される光信号および上記第２の分波器から出力される光信号の一方を上記第１の主スイッチへ導き、他方を上記第２の主スイッチへ導く複数の第１のルート切替手段、を有し、
上記出力回路が、
複数の光信号を合波してＷＤＭ光を生成する第１の合波器と、
複数の光信号を合波してＷＤＭ光を生成する第２の合波器と、
それぞれ、第１の主スイッチから出力される光信号および第２の主スイッチから出力される光信号の一方を上記第１の合波器に導き、他方を上記第２の合波器に導く複数の第２のルート切替手段と、
上記第１の合波器から出力されるＷＤＭ光および上記第２の合波器から出力されるＷＤＭ光の一方を上記２重化出力伝送路を構成する第１の出力伝送路へ導き、他方を第２の出力伝送路へ導く第２の伝送路切替手段、を有する
を特徴とする光クロスコネクト装置。
【０１１０】
（付記５）付記３に記載の光クロスコネクト装置であって、
上記第１および第２の合波器に導かれる各信号光の波長をそれぞれ所定の波長に変換する複数の生成手段をさらに有する。
【０１１１】
（付記６）付記４に記載の光クロスコネクト装置であって、
上記第１および第２の合波器に導かれる各信号光の波長をそれぞれ所定の波長に変換する複数の生成手段をさらに有する。
【０１１２】
（付記７）複数の入力伝送路および複数の出力伝送路を収容する光クロスコネクト装置であって、
主スイッチと、
各入力伝送路に対して設けられる複数の入力回路と、
各出力伝送路に対して設けられる複数の出力回路、を備え、
各入力回路が、
対応する入力伝送路を介して受信したＷＤＭ光を分岐して第１のＷＤＭ光および第２のＷＤＭ光を生成する分岐手段と、
上記第１のＷＤＭ光を波長ごとに分波して上記主スイッチに入力する分波器と、
上記第２のＷＤＭ光から指定された波長の光信号を選択して上記主スイッチに入力する選択手段、を有し
上記出力回路が、
それぞれ、上記主スイッチから出力される光信号の波長を予め決められた所定の波長に変換する複数の固定波長変換器と、
上記複数の固定波長変換器から出力される光信号を合波してＷＤＭ光を出力する合波器と、
上記主スイッチから出力される光信号の波長を指定された波長に変換する可変波長変換器と、
上記合波器から出力されるＷＤＭ光と上記可変波長変換器から出力される光信号とを合流させて上記出力伝送路に導く合流器、を有する
を特徴とする光クロスコネクト装置。
【０１１３】
（付記８）付記７に記載の光クロスコネクト装置であって、
上記分岐器と上記分波器との間に光アンプが設けられ、上記合波器と上記合流器との間に光アンプが設けられている。
【０１１４】
（付記９）付記７に記載の光クロスコネクト装置であって、
上記分岐器の前段に光アンプが設けられ、上記合流器の後段に光アンプが設けられている。
【０１１５】
（付記１０）複数の入力伝送路および複数の出力伝送路を収容する光クロスコネクト装置であって、
主スイッチと、
対応する入力伝送路を介して受信したＷＤＭ光を分波して上記主スイッチに入力する入力回路と、
上記主スイッチから出力される複数の信号光を合波して対応する出力伝送路に導く出力回路、を備え、
各入力回路が、
対応する入力伝送路を介して受信したＷＤＭ光を分岐して第１のＷＤＭ光および第２のＷＤＭ光を生成する分岐手段と、
上記第１のＷＤＭ光を波長ごとに分波して上記主スイッチに入力する分波器と、
上記第２のＷＤＭ光から指定された波長の光信号を選択して上記主スイッチに入力する選択手段、を有する
を特徴とする光クロスコネクト装置。
【０１１６】
（付記１１）複数の入力伝送路および複数の出力伝送路を収容する光クロスコネクト装置であって、
主スイッチと、
対応する入力伝送路を介して受信したＷＤＭ光を分波して上記主スイッチに入力する入力回路と、
上記主スイッチから出力される複数の信号光を合波して対応する出力伝送路に導く出力回路、を備え、
上記出力回路が、
それぞれ、上記主スイッチから出力される光信号の波長を予め決められた所定の波長に変換する複数の固定波長変換器と、
上記複数の固定波長変換器から出力される光信号を合波してＷＤＭ光を出力する合波器と、
上記主スイッチから出力される光信号の波長を指定された波長に変換する可変波長変換器と、
上記合波器から出力されるＷＤＭ光と上記可変波長変換器から出力される光信号とを合流させて上記出力伝送路に導く合流器、を有する
を特徴とする光クロスコネクト装置。
【０１１７】
（付記１２）付記１に記載の光クロスコネクト装置であって、
上記入力回路が、
上記第１または第２の入力伝送路を介して受信したＷＤＭ光から指定された波長の光信号を選択する第１の手段と、
上記第１の手段により選択された光信号を分岐して上記第１および第２の主スイッチに導く第２の手段、をさらに有し、
上記出力回路が、
上記第１または第２の主スイッチから出力された光信号の波長を指定された波長に変換する第３の手段と、
上記第３の手段から出力される光信号をそれぞれ上記第１および第２の合波器の出力に合流させる第４の手段、を有する。
【０１１８】
（付記１３）付記３に記載の光クロスコネクト装置であって、
上記入力回路が、
上記第１および第２の入力伝送路を介して受信した１組のＷＤＭ光からそれぞれ指定された波長の１組の光信号を選択する第１の手段と、
上記第１の手段により選択された１組の光信号の一方を上記第１の主スイッチに導き、他方を上記第２の主スイッチに導く第２の手段、をさらに有し、
上記出力回路が、
上記第１および第２の主スイッチから出力された１組の光信号の一方を上記第１の出力伝送路に導き、他方を上記第２の出力伝送路に導く第３の手段と、
上記第３の手段から出力される１組の光信号の波長をそれぞれ指定された波長に変換する第４の手段と、
上記第４の手段から出力される１組の光信号をそれぞれ上記第１および第２の合波器の出力に合流させる第５の手段、を有する。
【０１１９】
（付記１４）付記４に記載の光クロスコネクト装置であって、
上記入力回路が、
上記第１の伝送路切替手段から出力される１組のＷＤＭ光からそれぞれ指定された波長の１組の光信号を選択する第１の手段と、
上記第１の手段により選択された１組の光信号の一方を上記第１の主スイッチに導き、他方を上記第２の主スイッチに導く第２の手段、をさらに有し、
上記出力回路が、
上記第１および第２の主スイッチから出力された１組の光信号の一方を上記第１の合波器の出力に合流されるように導き、他方を上記第２の合波器の出力に合流されるように導く第３の手段と、
上記第３の手段から出力される１組の光信号の波長をそれぞれ指定された波長に変換する第４の手段と、
上記第４の手段から出力される１組の光信号をそれぞれ上記第１および第２の合波器の出力に合流させる第５の手段、を有する。
【０１２０】
（付記１５）付記１、３、４のいずれか１つに記載の光クロスコネクト装置であって、
上記入力回路は、ＷＤＭ光を増幅する光増幅器を備える。
【０１２１】
（付記１６）付記１、３、４のいずれか１つに記載の光クロスコネクト装置であって、
上記入力回路は、各波長ごとに分波された光信号を増幅する複数の光増幅器を備える。
【０１２２】
（付記１７）付記１、３、４のいずれか１つに記載の光クロスコネクト装置であって、
上記出力回路は、ＷＤＭ光を増幅する光増幅器を備える。
【０１２３】
（付記１８）付記１、５、６のいずれか１つに記載の光クロスコネクト装置であって、
上記生成手段は、受信した光信号をいったん電気信号に変換し、その電気信号を光信号に変換して出力する。
【０１２４】
（付記１９）ｎ波長ＷＤＭ光を伝送するｋ組の２重化入力伝送路およびｋ組の２重化出力伝送路を収容する光クロスコネクト装置であって、
第１の主スイッチと、
第２の主スイッチと、
入力ＷＤＭ光を分波する２ｋ個の分波器と、
上記２ｋ個の分波器から出力されるｋｎ組の光信号からそれぞれ一方の光信号を選択するｋｎ個の第１の選択手段と、
上記ｋｎ個の第１の選択手段から出力される光信号を分岐して上記第１および第２の主スイッチに導くｋｎ個の第１の分岐手段と、
上記第１および第２の主スイッチから出力されるｋｎ組の光信号からそれぞれ一方の光信号を選択するｋｎ個の第２の選択手段と、
上記ｋｎ個の第２の選択手段から出力される光信号からそれぞれ所定の波長を持った光信号を生成するｋｎ個の生成手段と、
上記ｋｎ個の生成手段により生成される光信号をそれぞれ分岐するｋｎ個の第２の分岐器と、
上記ｋｎ個の第２の分岐器により出力される光信号を合波してＷＤＭ光を生成する２ｋ個の合波器、を有する
を特徴とする光クロスコネクト装置。
【０１２５】
（付記２０）ｎ波長ＷＤＭ光を伝送するｋ組の２重化入力伝送路およびｋ組の２重化出力伝送路を収容する光クロスコネクト装置であって、
第１の主スイッチと、
第２の主スイッチと、
入力ＷＤＭ光を分波する２ｋ個の分波器と、
上記２ｋ個の分波器から出力されるｋｎ組の光信号をそれぞれ上記第１および第２の主スイッチに導くｋｎ個の第１の切替手段と、
上記第１および第２の主スイッチから出力されるｋｎ組の光信号の出力方路を切り換えるｋｎ個の第２の切替手段と、
上記ｋｎ個の第２の切替手段から出力される光信号からそれぞれ所定の波長を持った光信号を生成する２ｋｎ個の生成手段と、
上記２ｋｎ個の生成手段により生成される光信号を合波してＷＤＭ光を生成する２ｋ個の合波器、を有する
を特徴とする光クロスコネクト装置。
【０１２６】
【発明の効果】
本発明によれば、光クロスコネクト装置間を接続する２重化光伝送路を介して互いに同じ信号が伝送される場合には、波長変換器または光再生器の数を半分にすることができるので、各光クロスコネクト装置の小型化が実現される。
【０１２７】
また、光クロスコネクト装置内における光損失が抑えられるので、光アンプに対する要求が緩和される。
さらに、ＷＤＭ光の中の任意の波長に対応する光デバイスの故障を復旧するための構成が簡単になる。
【図面の簡単な説明】
【図１】実施形態の光クロスコネクト装置が使用されるネットワークを示す図である。
【図２】各光クロスコネクト装置の動作を制御するオペレーティングシステムの実現方法を示す図である。
【図３】第１の実施例の光クロスコネクト装置の構成図である。
【図４】第１の実施例の光クロスコネクト装置の動作を説明する図である（正常時）。
【図５】第１の実施例の光クロスコネクト装置の動作を説明する図（障害発生時）である。
【図６】光クロスコネクト装置内の障害を検出する方法を説明する図である。
【図７】第２の実施例の光クロスコネクト装置の構成図である。
【図８】第２の実施例の光クロスコネクト装置の動作を説明する図である（正常時）。
【図９】第２の実施例の光クロスコネクト装置の動作を説明する図（障害発生時）である。
【図１０】第３の実施例の光クロスコネクト装置の構成図である。
【図１１】第３の実施例の光クロスコネクト装置の動作を説明する図である（正常時）。
【図１２】第３の実施例の光クロスコネクト装置の動作を説明する図（障害発生時）である。
【図１３】第４の実施例の光クロスコネクト装置の構成図である。
【図１４】第５の実施例の光クロスコネクト装置の構成図である。
【図１５】第６の実施例の光クロスコネクト装置の構成図である。
【図１６】第７の実施例の光クロスコネクト装置の構成図である。
【図１７】第８の実施例の光クロスコネクト装置の構成図である。
【図１８】第９の実施例の光クロスコネクト装置の構成図である。
【図１９】第１０の実施例の光クロスコネクト装置の構成図である。
【図２０】第１１の実施例の光クロスコネクト装置の構成図である。
【図２１】第６の実施例の光クロスコネクト装置の動作を説明する図である（正常時）。
【図２２】第６の実施例の光クロスコネクト装置の動作を説明する図（障害発生時その１）である。
【図２３】第６の実施例の光クロスコネクト装置の動作を説明する図（障害発生時その２）である。
【図２４】第９の実施例の光クロスコネクト装置の動作を説明する図である（正常時）。
【図２５】第９の実施例の光クロスコネクト装置の動作を説明する図（障害発生時その１）である。
【図２６】第９の実施例の光クロスコネクト装置の動作を説明する図（障害発生時その２）である。
【図２７】第１１の実施例の光クロスコネクト装置の動作を説明する図である（正常時）。
【図２８】第１１の実施例の光クロスコネクト装置の動作を説明する図（障害発生時その１）である。
【図２９】第１１の実施例の光クロスコネクト装置の動作を説明する図（障害発生時その２）である。
【図３０】光クロスコネクト装置が使用されるネットワーク環境を示す図である。
【図３１】既存の光クロスコネクト装置の構成図である。
【符号の説明】
１０        主スイッチ部
１１〜１４  光スイッチ
２０−１〜２０−ｋ  入力回路
２２ａ、２２ｂ  光分波器
２３−１〜２３−ｎ、２３−ｘ  光セレクタ
２４−１〜２４−ｎ、２４−ｘ  光分岐器
３０−１〜３０−ｋ  出力回路
３１−１〜３１−ｎ、３１−ｘ  光セレクタ
３２−１〜３２−ｎ  波長変換器
３３−１〜３３−ｎ、３３−ｘ  光分岐器
３４ａ、３４ｂ  光合波器
４０−１〜４０−ｋ  入力回路
４１−１〜４１−ｎ、４１−ｘ  光スイッチ
４２  光スイッチ
５０−１〜５０−ｋ  出力回路
５１−１〜５１−ｎ、５１−ｘ  光スイッチ
５２  光スイッチ
６０−１〜６０−ｋ  入力回路
６１  光分岐器
６４（６４ａ、６４ｂ）  波長選択器
７０−１〜７０−ｋ  出力回路
７１−１〜７１−ｎ  固定波長変換器
７４（７４ａ、７４ｂ）  可変波長変換器
７６  光分岐器
【図１】
0003976602.tif 000002
【図２】
0003976602.tif 000003
【図３】
0003976602.tif 000004
【図４】
0003976602.tif 000005
【図５】
0003976602.tif 000006
【図６】
0003976602.tif 000007
【図７】
0003976602.tif 000008
【図８】
0003976602.tif 000009
【図９】
0003976602.tif 000010
【図１０】
0003976602.tif 000011
【図１１】
0003976602.tif 000012
【図１２】
0003976602.tif 000013
【図１３】
0003976602.tif 000014
【図１４】
0003976602.tif 000015
【図１５】
0003976602.tif 000016
【図１６】
0003976602.tif 000017
【図１７】
0003976602.tif 000018
【図１８】
0003976602.tif 000019
【図１９】
0003976602.tif 000020
【図２０】
0003976602.tif 000021
【図２１】
0003976602.tif 000022
【図２２】
0003976602.tif 000023
【図２３】
0003976602.tif 000024
【図２４】
0003976602.tif 000025
【図２５】
0003976602.tif 000026
【図２６】
0003976602.tif 000027
【図２７】
0003976602.tif 000028
【図２８】
0003976602.tif 000029
【図２９】
0003976602.tif 000030
【図３０】
0003976602.tif 000031
【図３１】
0003976602.tif 000032